【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
第１種ライセンシに備えられ、データベースを有する第１知財管理システムと、前記第１種ライセンシよりシステム利用のサブライセンスを受けた第２種ライセンシ用の第２知財管理システムとがコンピュータ・ネットワークを通じて連携する連携型知財管理システムにより実行される方法であって、
前記第１知財管理システムが、前記第２種ライセンシの識別名称を、前記第１種ライセンシに認められたシステム利用の第１ライセンス条件の一部又は全部を継承した第２ライセンス条件を特定するための固有情報と関連付けて前記データベースに記録する段階と；
前記第２知財管理システムが、前記第２種ライセンシにおいて生じた知財創出支援の需要を、自システムの入力装置又は自システムに接続された操作端末を通じて受け付け、受け付けた前記需要に基づく知財情報の検索を前記第１知財管理システムに要求する段階と；
前記第２知財管理システムからの前記要求を受け付けた前記第１知財管理システムが、前記データベースに記録されている第２ライセンス条件に従う検索式を取得し、この検索式により創出対象となる知財情報の検索を行うとともに、前記固有情報をもとに前記データベースより読み出した当該第２種ライセンシの識別名称を情報発信元として表示させるための第２種ライセンシ用のブラウザ画面を生成し、前記検索の結果を、前記ブラウザ画面にレイアウトしてそのブラウザ画面を前記第２知財管理システムに配信する段階と；
前記ブラウザ画面の配信を受けた前記第２知財管理システムが、当該ブラウザ画面を自システム又は前記操作端末が備えるディスプレイに表示させる段階と；を有する、
連携型知財管理システムによる知財創出支援方法。
【請求項２】
前記データベースには、前記第２種ライセンシの識別情報と関連付けられた前記需要の発信元の識別情報が記録されており、
前記第１知財管理システムは、前記検索の結果をレイアウトした前記ブラウザ画面の情報提供先の表示領域に、前記第２種ライセンシの識別情報をもとに前記データベースより読み出した前記需要の発信元の識別情報を併せてレイアウトする、
請求項１記載の知財創出支援方法。
【請求項３】
電子情報の検索を行う検索エンジンと；
システム利用のサブライセンスの締結権限を有する第１種ライセンシとの間で前記サブライセンスを締結した第２種ライセンシの識別名称を、前記第１種ライセンシに認められたシステム利用の第１ライセンス条件の一部又は全部を継承した第２ライセンス条件を特定するための固有情報と関連付けて記録した第２種ライセンシＤＢと；
前記第２種ライセンシＤＢに記録されている前記識別名称を読み出し、読み出した識別名称を情報発信元として表示させるためのブラウザ画面を生成するブラウザ画面生成手段と；
前記第２種ライセンシ用の情報提供システムから、当該第２種ライセンシにおいて生じた知財創出支援の需要を受け付ける需要受付手段と；
この需要受付手段による需要の受付を契機に、前記第２種ライセンスＤＢに記録されている前記第２ライセンス条件に従う検索式を取得し、この検索式により前記検索エンジンに検索を行わせるとともに、受け取った検索の結果を前記ブラウザ画面に掲載してこのブラウザ画面を前記第２種ライセンシ用の情報提供システムに配信する制御手段と；を有する、
サブライセンス管理機能付きの情報提供システム。
【請求項４】
前記第２種ライセンシが常用している電子情報からテキスト情報を抽出するテキスト情報抽出手段と；
抽出されたテキスト情報を所定の分類規則に従って分類し、各分類結果を予め分類毎に用意された情報ＤＢに蓄積する情報分類手段と；
予め取得した知財情報検索用のキーワード情報と前記情報ＤＢに蓄積されているテキスト情報とを照合し、照合度合いが相対的に高いキーワード情報を当該第２種ライセンシ用の解析キーワードとしてキーワードＤＢに蓄積する解析・照合手段と；
前記第２ライセンス条件及び前記キーワードＤＢに蓄積されている解析キーワードにより前記検索式を作成する検索式作成手段と；
をさらに有する、
請求項３記載の情報提供システム。
【請求項５】
コンピュータをサブライセンス管理機能付きの情報提供システムとして動作させるためのコンピュータプログラムであって；
前記コンピュータを；
電子情報の検索を行う検索エンジン；
システム利用のサブライセンスの締結権限を有する第１種ライセンシとの間で前記サブライセンスを締結した第２種ライセンシの識別名称を、前記第１種ライセンシに認められたシステム利用の第１ライセンス条件の一部又は全部を継承した第２ライセンス条件を特定するための固有情報と関連付けて第２種ライセンシＤＢに記録するＤＢ管理手段；
前記第２種ライセンシＤＢに記録されている前記識別名称を読み出し、読み出した識別名称を情報発信元として表示させるためのブラウザ画面を生成するブラウザ画面生成手段；
前記第２種ライセンシ用の情報提供システムから、当該第２種ライセンシにおいて生じた知財創出支援の需要を受け付ける需要受付手段；
前記需要の受付を契機に、前記第２種ライセンスＤＢに記録されている前記第２ライセンス条件に従う検索式を取得し、この検索式により前記検索エンジンに検索を行わせるとともに、受け取った検索の結果を前記ブラウザ画面に掲載してこのブラウザ画面を前記第２種ライセンシ用の情報提供システムに配信する制御手段；として機能させるためのコンピュータプログラム。
【手続補正２】
【補正対象書類名】明細書
【補正対象項目名】０００７
【補正方法】変更
【補正の内容】
【０００７】
本発明が提供する知財創出支援方法は、第１種ライセンシに備えられ、データベースを有する第１知財管理システムと、前記第１種ライセンシよりシステム利用のサブライセンスを受けた第２種ライセンシ用の第２知財管理システムとがコンピュータ・ネットワークを通じて連携する連携型知財管理システムにより実行される方法であって、前記第１知財管理システムが、前記第２種ライセンシの識別名称を、前記第１種ライセンシに認められたシステム利用の第１ライセンス条件の一部又は全部を継承した第２ライセンス条件を特定するための固有情報と関連付けて前記データベースに記録する段階と；前記第２知財管理システムが、前記第２種ライセンシにおいて生じた知財創出支援の需要を、自システムの入力装置又は自システムに接続された操作端末を通じて受け付け、受け付けた前記需要に基づく知財情報の検索を前記第１知財管理システムに要求する段階と；前記第２知財管理システムからの前記要求を受け付けた前記第１知財管理システムが、前記データベースに記録されている第２ライセンス条件に従う検索式を取得し、この検索式により創出対象となる知財情報の検索を行うとともに、前記固有情報をもとに前記データベースより読み出した当該第２種ライセンシの識別名称を情報発信元として表示させるための第２種ライセンシ用のブラウザ画面を生成し、前記検索の結果を、前記ブラウザ画面にレイアウトしてそのブラウザ画面を前記第２知財管理システムに配信する段階と；前記ブラウザ画面の配信を受けた前記第２知財管理システムが、当該ブラウザ画面を自システム又は前記操作端末が備えるディスプレイに表示させる段階と；を有する、連携型知財管理システムによる知財創出支援方法である。
「第１種ライセンシ」はシステムを開発したライセンサよりシステム利用のライセンスを付与された者、例えば企業、大学等であり、「サブライセンス」は、ライセンシが付与するライセンスをいう。「知財管理システム」は知的財産の創出支援に関わる情報処理を行う通信機能付きの情報処理システムである。「知財情報」は、例えば発明、考案、意匠、商標に関して、国内外の公的機関から電子化されて公表された公報、ネットワーク上を流通する電子化された技術情報、ノウハウ等である。
ある実施の態様では、前記データベースに、前記第２種ライセンシの識別情報と関連付けられた前記需要の発信元の識別情報が記録されており、前記第１知財管理システムは、前記検索の結果をレイアウトした前記ブラウザ画面の情報提供先の表示領域に、前記第２種ライセンシの識別情報をもとに前記データベースより読み出した前記需要の発信元の識別情報を併せてレイアウトする。
【手続補正３】
【補正対象書類名】明細書
【補正対象項目名】０００８
【補正方法】変更
【補正の内容】
【０００８】
本発明の情報提供システムは、例えば上述した第１知財管理システムとして機能させることができるサブライセンス管理機能付きの情報提供システムであり、以下のような構成要素を有する。
（１）電子情報の検索を行う検索エンジン。
（２）システム利用のサブライセンスの締結権限を有する第１種ライセンシとの間で前記サブライセンスを締結した第２種ライセンシの識別名称を、前記第１種ライセンシに認められたシステム利用の第１ライセンス条件の一部又は全部を継承した第２ライセンス条件を特定するための固有情報と関連付けて記録した第２種ライセンシＤＢ。
（３）前記第２種ライセンシＤＢに記録されている前記識別名称を読み出し、読み出した識別名称を情報発信元として表示させるためのブラウザ画面を生成するブラウザ画面生成手段。
（４）前記第２種ライセンシ用の情報提供システムから、当該第２種ライセンシにおいて生じた知財創出支援の需要を受け付ける需要受付手段。
（５）この需要受付手段による需要の受付を契機に、前記第２種ライセンスＤＢに記録されている前記第２ライセンス条件に従う検索式を取得し、この検索式により前記検索エンジンに検索を行わせるとともに、受け取った検索の結果を前記ブラウザ画面に掲載してこのブラウザ画面を前記第２種ライセンシ用の情報提供システムに配信する制御手段。
ある実施の態様では、以下のような構成要素をさらに有する。
（６）前記第２種ライセンシが常用している電子情報からテキスト情報を抽出するテキスト情報抽出手段。
（７）抽出されたテキスト情報を所定の分類規則に従って分類し、各分類結果を予め分類毎に用意された情報ＤＢに蓄積する情報分類手段。
（８）予め取得した知財情報検索用のキーワード情報と前記情報ＤＢに蓄積されているテキスト情報とを照合し、照合度合いが相対的に高いキーワード情報を当該第２種ライセンシ用の解析キーワードとしてキーワードＤＢに蓄積する解析・照合手段。
（９）前記第２ライセンス条件及び前記キーワードＤＢに蓄積されている解析キーワードにより前記検索式を作成する検索式作成手段。
【手続補正４】
【補正対象書類名】明細書
【補正対象項目名】０００９
【補正方法】変更
【補正の内容】
【０００９】
このように構成される情報提供システムでは、第２種ライセンシＤＢにより、第１種ライセンシと第２種ライセンシとの関係を随時把握することができるので、第１種ライセンシにシステム利用の権限を与えたライセンサがライセンス契約に関与しなくとも、第２種ライセンシとの間で間接的にライセンス契約を締結した場合と同様の効果を得ることができる。また、第２種ライセンシＤＢに記録された第２ライセンス条件に基づく検索結果が第２種ライセンシ用のブラウザ画面に掲載されるので、第２ライセンシにとって使い勝手のよい情報提供システムを実現することができる。特に、第２種ライセンシは、特別なコンピュータシステムを新規に導入しなくとも、あたかも自己発信の情報提供システムを構築したかの如き環境を構築することができる。
【手続補正５】
【補正対象書類名】明細書
【補正対象項目名】００１０
【補正方法】変更
【補正の内容】
【００１０】
本発明のコンピュータプログラムは、コンピュータをサブライセンス管理機能付きの情報提供システムとして動作させるためのコンピュータプログラムであって、前記コンピュータを、上述したところの、検索エンジン、第２種ライセンシの識別名称を固有情報と関連付けて第２種ライセンシＤＢに記録するＤＢ管理手段、ブラウザ画面生成手段、需要受付手段、及び、制御手段として機能させるためのコンピュータプログラムである。